(57)【特許請求の範囲】
【請求項１】
高架構造物の桁裏面に取付けられる吸音体の取付構造であって、両端部より長手方向に取付金具が突設されたパネル本体の下面に、複数の吸音体が適宜間隔をおいて互いに並行に配設されて吸音パネルユニットが形成され、前記取付金具をそれぞれ対向する横桁材の凹溝内に支持させることにより、吸音パネルユニットが横桁材間に取付けられるようになされ、前記取付金具は、取付端部から下方に垂下部が延び、さらに垂下部より長手方向に先端部が延び、前記先端部が横桁材の凹溝内に挿入支持されると共に、パネル本体が垂下部の高さ分だけ嵩上げされて、パネル本体の上面が横桁材の上面とほぼ面一になるようになされたことを特徴とする吸音体の取付構造。
【請求項２】
取付金具がパネル本体の長手方向に対して摺動可能となされたことを特徴とする請求項１記載の吸音体の取付構造。
【請求項３】
吸音体の落下を防止する落下防止ワイヤーが、吸音体に取付けられていることを特徴とする請求項１または２記載の吸音体の取付構造。
【請求項４】
前記パネル本体面に網状体が敷設されたことを特徴とする請求項１、２または３記載の吸音体の取付構造。
【請求項５】
前記パネル本体内にさらに吸音材が充填されたことを特徴とする請求項１、２、３または４記載の吸音体の取付構造。
【発明の詳細な説明】
【０００１】
【発明の属する技術分野】
本発明は、車両等の走行に伴う騒音を遮音、吸音するために、主として橋梁や高架道路等の高架構造物の桁裏面に取付けられる吸音体の取付構造に関するものである。
【０００２】
【従来の技術】
例えば高架道路等の高架構造物の桁裏面には、その下を通行する車両の騒音が桁裏面で反射して周囲に騒音が漏れるのを防止するために、また同時に桁裏面の美粧化を図るために、長手方向に延びる筒状の吸音体が幅方向に適宜間隔をおいて並行に配置されている。
【０００３】
【発明が解決しようとする課題】
前記吸音体の取付としては、一般にはまず構造物の桁裏面に幅方向に延びる  Ｈ型鋼からなる横桁材を所定間隔毎に取付け、この横桁材に防音体を一個一個ボルト止めしていくことにより行われている。しかしながら防音体を一個一個横桁材にボルト止めして取付けるのは手間であり、また防音体は一般的には重いものであり、かかる取付方法ではボルト止めする際には、ボルト止めする作業者とは別に防音体等を支える作業者が必要であり、しかも全てのボルトを締めつけるまでは、その支える作業者は手を離すことができず、特に桁裏面等の如く下からの作業の場合では、落下する恐れがあり、安全性にも問題がある。
【０００４】
そこで特開平７−１２７０２１号公報に記載される如く、横桁材に受金具を突設すると共に、防音体の両端部の上面に取付金具を形成し、この取付金具を受金具の上面に載せて固定することにより、仮止めが可能で且つ落下の恐れがないようになされた取付方法も提案されているが、防音体を一個一個横桁材にボルト止めして取付ける手間は解消されていない。
【０００５】
また特開平７−１８０１１８号公報には、互いに並行に配設された複数本のルーバー構成部材をつなぎ部材により互いに接合して被覆用ルーバーパネルとし、このルーバーパネルを桁裏面に下から支えながらボルト止めすることにより、複数のルーバー構成部材を同時に取付けるようにすることも提案されているが、この取付方法ではボルト止めする際に、上記した取付方法と同様にボルト止めする作業者とは別にルーバーパネルを支える作業者が必要であり、しかも全てのボルトを締めつけるまでは、ルーバーパネルを支える作業者は手を離すことができず、また作業中に落下する恐れもあり、作業性のみならず安全性にも問題が残っている。
【０００６】
そこで本発明は上記の如き問題を解決し、作業性および安全性を向上させた防音体の取付構造を提供せんとするものである。
【０００７】
【課題を解決するための手段】
上記目的を達成するために、本発明は次のような構成としている。
すなわちこの発明に係る防音体の取付構造は、高架構造物の桁裏面に取付けられる吸音体の取付構造であって、両端部より長手方向に取付金具が突設されたパネル本体の下面に、複数の吸音体が適宜間隔をおいて互いに並行に配設されて吸音パネルユニットが形成され、前記取付金具をそれぞれ対向する横桁材の凹溝内に支持させることにより、吸音パネルユニットが横桁材間に取付けられるようになされ、前記取付金具は、取付端部から下方に垂下部が延び、さらに垂下部より長手方向に先端部が延び、前記先端部が横桁材の凹溝内に挿入支持されると共に、パネル本体が垂下部の高さ分だけ嵩上げされて、パネル本体の上面が横桁材の上面とほぼ面一になるようになされたことを特徴とするものである。
【０００８】
本発明によれば、複数の吸音体が適宜間隔をおいて互いに並行に配設された吸音パネルユニットを横桁材間に取付けることにより、複数の吸音体を一度に取付けることができる。またこの吸音パネルユニットは、それを構成するパネル本体の両端部より突設された取付金具を横桁材の凹溝内に支持させて取付けるので、作業中に吸音パネルユニットを支える必要がなく、また落下する恐れも解消される。
又パネル本体の上面が横桁材の上面とほぼ面一になされているので、この上を足場としてメンテナンスの際に作業者がつまずくことなく、安全に走行できる。
【０００９】
本発明における吸音体は、適宜吸音材が内装されたり、共鳴室が形成される等して吸音性や遮音性等の防音性が具備されたものであり、その形状は一般的には筒状となされているが、特に限定されるものではない。
【００１０】
また本発明において、取付金具は予めパネル本体に固定されていてもよいが、予めパネル本体の長手方向に対して摺動可能となされていれば、取付金具を長手方向に摺動させつつ横桁材の凹溝内に挿入することにより支持させることができるので、支持させる際の作業が容易となる。
【００１１】
さらに本発明において、吸音パネルユニットにより取付けられた吸音体が、破損等により落下しないように、吸音体の落下を防止する落下防止ワイヤーが、吸音体に取付けられているのが好ましい。
【００１３】
さらに本発明において、パネル本体面にエキスパンドメタル等の網状体が敷設されていれば、桁裏面に鳥等が侵入するのを防止することができる。
【００１４】
さらにまた本発明において、パネル本体内にさらに吸音材が充填されていれば、吸音体のみならずこのパネル本体でも吸音されるので、防音効果がより向上する。
【００１５】
【発明の実施の形態】
次に、本発明の実施の形態について図面を参照し、具体的に説明する。
すなわち図１は本発明の実施の一形態を示す概略図、図２は主要部の側面図、図３はパネル本体への吸音体の取付状態を示す分解斜視図、図４は落下防止ワイヤーの取付状態を示す斜視図、図５は吸音パネルユニットの横桁材への取付状態を示す断面図、図６は吸音パネルユニットの横桁材への取付状態を示す分解斜視図である。
【００１６】
図面において１は橋梁や高架道路等の高架構造物であり、２はこの高架構造物１の桁裏面に取付けられた支持部材であり、３は支持部材２に取付けられた横桁材であり、横桁材３は両側面に凹溝３１が形成された断面エ字型を呈し、高架構造物１の幅方向に延び、かつ高架構造物１の長手方向に後述の吸音パネルユニット４のほぼ長さ間隔毎に複数設けられている。なお高架構造物１の側面には桁裏面を側面より隠蔽する化粧板２１が取付けられている。
【００１７】
４は相対向する横桁材３間に取付けられた吸音パネルユニットであり、吸音パネルユニット４は、パネル本体５と、このパネル本体５の下面に適宜間隔をおいて互いに並行に配設された複数の筒状の吸音体６とから構成されている。
【００１８】
前記パネル本体５は、外周に枠体５１が取付けられ、上下面に例えばエキスパンドメタル等の網状体５２が敷設され、その上下の網状体５２間に例えばグラスウール等の吸音材５３が充填され、防音性を具備させると共に桁裏面に鳥等が侵入するのを防止している。一方吸音体６は、例えば筒状内に適宜吸音材が内装されたり、共鳴室が形成される等して吸音性や遮音性等の防音性が具備されたものである。
【００１９】
パネル本体５への吸音体６の取付構造をさらに詳細に説明すると、まず吸音体６の上面に長手方向に取付溝６１が形成され、その取付溝６１の両端部にそれぞれ取付ボルト６２の頭部が摺動可能に嵌入され、またパネル本体５の両端部の下面には前記取付ボルト６２とほぼ対応する位置に断面矩形状の短筒体５４がそれぞれ取付けられている。そして前記取付ボルト６２に、立ち上げ片７１が左右に形成されたコ字状の支持具７の底面７２が貫通されてナット６３により螺着され、次いでこの支持具７の左右の立ち上げ片７１が短筒体５４の外側面に下から挟み込むように嵌入され、さらに横から貫通された支持ボルト７３によりボルト止めされることにより取付けられている。この支持具７を短筒体５４に嵌入する際、互いの位置が合っていない場合は、前記取付ボルト６２を取付溝６１に沿って摺動させることにより適宜位置合わせをすることができる。
【００２０】
なおパネル本体５に取付けられた吸音体６には、さらに破損等により落下しないように、パネル本体５またはパネル本体５を貫通して横桁材３に支持された落下防止ワイヤー８が取付けられている。またパネル本体５の下面に取付けられる吸音体６の数は特に限定されるものではないが、吸音体６の数を多くすると重量が重くなって逆に作業性や安全性に問題が生じてくるため、通常は５個程度を１ユニットとしている。
【００２１】
かようにしてパネル本体５の下面に複数の吸音体６が取付けられて吸音パネルユニット４が形成されるが、この吸音パネルユニット４の横桁材３への取付構造は、パネル本体５の両端部下面にボルト止めされた取付金具９が、前記両端部より長手方向に突設され、この取付金具９の先端部９１が横桁材３の凹溝３１内に挿入支持されることにより取付けられるようになされている。
【００２２】
この場合、取付金具９の取付端部９２に穿設された取付孔９３が長孔となされ、この長孔の取付孔９３に取付ボルト９６を挿入してパネル本体５の下面にボルト止めすることにより、取付金具９はパネル本体５の長手方向に対して摺動可能に取付けられている。そして取付金具９を横桁材３の凹溝３１内に挿入支持させる際には、まず前記取付ボルト９６を緩めておき、取付金具９を長手方向に摺動させつつ横桁材３の凹溝３１内に挿入支持させると共に、先端部９１に穿設された取付孔９４を凹溝３１内の取付孔３２に位置合わせし、この両取付孔９４，３２に支持ボルト９７を貫通させてボルト止めされるようになされている。
【００２３】
なお取付金具９は、取付端部９２から下方に垂下部９５が延び、さらに垂下部９５より長手方向に先端部９１が延びている。かように垂下部９５が設けられている理由は、取付金具９の先端部９１を横桁材３の凹溝３１内に挿入支持させた際、パネル本体５を垂下部９５の高さ分だけ嵩上げして、パネル本体５の上面が横桁材３の上面とほぼ面一になるようにするためである。
【００２４】
なお本形態では、前記した如くパネル本体５内に吸音材５３が充填されて、吸音体のみならずこのパネル本体でも吸音させることにより、防音効果をより向上させているが、この防音効果を確認するために、下面に吸音体６が取付けられたパネル本体５にエキスパンドメタルからなる網状体５２のみ付設した場合と、本形態の如く下面に吸音体６が取付けられたパネル本体５内にさらに吸音材５３が網状体５２間に充填された場合との残響室法吸音率をそれぞれ測定し、その結果を前者の場合を表１に、本形態による後者の場合を表２に、それぞれ表した。
【００２５】
【表１】
0003598179.tif 000002
【００２６】
【表２】
0003598179.tif 000003
【００２７】
上記結果より、本形態の如く下面に吸音体６が取付けられたパネル本体５内にさらに吸音材５３が充填された場合には、防音効果をより向上されることが確認される。
【００２８】
【発明の効果】
本発明によれば、複数の吸音体が適宜間隔をおいて互いに並行に配設された吸音パネルユニットを横桁材間に取付けることにより、複数の吸音体を一度に取付けることができる。またこの吸音パネルユニットは、それを構成するパネル本体の両端部より突設された取付金具を横桁材の凹溝内に支持させて取付けるので、吸音パネルユニットを持ち上げて取付金具を横桁材の凹溝内に支持させた後は、作業中に吸音パネルユニットを支える必要がなく、また落下する恐れも解消される。
又パネル本体の上面が横桁材の上面とほぼ面一になされているので、この上を足場としてメンテナンスの際に作業者がつまずくことなく、安全に走行できる。
【００２９】
また本発明において、パネル本体の長手方向に対して摺動可能となされていれば、取付金具を長手方向に摺動させつつ横桁材の凹溝内に挿入することにより支持させることができるので、支持させる際の作業も容易となる。
【００３０】
さらに本発明において、パネル本体に取付けられた吸音体に、落下を防止する落下防止ワイヤーが取付けられていれば、破損等において吸音体が落下するのを防止できる。
【００３２】
さらに本発明において、パネル本体面にエキスパンドメタル等の網状体が付設されていれば、桁裏面に鳥等が侵入するのを防止することができる。
【００３３】
さらに本発明において、パネル本体内にさらに吸音材が充填されていれば、吸音体のみならずこのパネル本体でも吸音されるので、防音効果をより向上させることができる。
【図面の簡単な説明】
【図１】本発明の実施の一形態を示す概略図である。
【図２】主要部の側面図である。
【図３】パネル本体への吸音体の取付状態を示す分解斜視図である。
【図４】落下防止ワイヤーの取付状態を示す斜視図である。
【図５】吸音パネルユニットの横桁材への取付状態を示す断面図である。
【図６】吸音パネルユニットの横桁材への取付状態を示す分解斜視図である。
【符号の説明】
１    高架構造物
２    支持部材
２１  化粧板
３    横桁材
３１  凹溝
３２  取付孔
４    吸音パネルユニット
５    パネル本体
５１  枠体
５２  網状体
５３  吸音材
５４  短筒体
６    吸音体
６１  取付溝
６２  取付ボルト
６３  ナット
７    支持具
７１  立ち上げ片
７２  底面
７３  支持ボルト
８    落下防止ワイヤー
９    取付金具
９１  先端部
９２  取付端部
９３  長孔の取付孔
９４  先端部の取付孔
９５  垂下部
９６  取付端部の取付ボルト
９７  先端部の支持ボルト
【図１】
0003598179.tif 000004
【図２】
0003598179.tif 000005
【図３】
0003598179.tif 000006
【図４】
0003598179.tif 000007
【図５】
0003598179.tif 000008
【図６】
0003598179.tif 000009